(57)【要約】      （修正有）【課題】箱を回収する場合に、底板と側面板を互いに分離したり、カバーおよび部材を利用してバンドで締結する不便さを解決する。【解決手段】折り畳み式箱は、底板１１０、左側支持台１２２および右側支持台１２４、並びに、底板フレーム１００と、第１側板、第１上部外郭フレーム部、第１下部外郭フレーム部、並びに、左側面フレーム２００および右側面フレーム２０１と、第２側板、第２上部外郭フレーム部、第２下部外郭フレーム部、および、第２側面外郭フレーム部をそれぞれ有する前面フレーム３００および後面フレーム３０１と、を含んでなる。【選択図】図１
2017095177.tif 000002
【特許請求の範囲】
【請求項１】
底板、該底板の左右側端部からそれぞれ直立しており、上部の端に複数の側面フレーム締結部が設けられている左側支持台および右側支持台、並びに、前記底板の前面および後面端部からそれぞれ直立しており、上部の端に複数の前後面フレーム締結部が設けられている前面支持台および後面支持台を有する底板フレームと、
第１側板、該第１側板の四つの端部にそれぞれ設けられている第１上部外郭フレーム部、下部に向かって突出して前記側面フレーム締結部に回動自在に結合されている複数の第１支持台締結部材を有する第１下部外郭フレーム部、並びに、複数のフレーム締結突起が備えられた第１側面外郭フレーム部をそれぞれ有する左側面フレームおよび右側面フレームと、
第２側板、該第２側板の四つの端部にそれぞれ設けられている第２上部外郭フレーム部、下部に向かって突出して前記前後面フレーム締結部に回動自在に結合されている複数の第２支持台締結部材を有する第２下部外郭フレーム部、並びに、前記フレーム締結突起を収容結合する複数のフレーム締結突起結合孔が備えられた第２側面外郭フレーム部をそれぞれ有する前面フレームおよび後面フレームと、を含んでなることを特徴とする、折り畳み式箱。
【請求項２】
前記側面フレーム締結部はそれぞれ一対の第１締結突起水平係止顎、第１締結突起垂直係止顎および第１締結突起締結溝を備え、
前記前後面フレーム締結部はそれぞれ一対の第２締結突起水平係止顎、第２締結突起垂直係止顎および第２締結突起締結溝を備え、
前記第１支持台締結部材は一対の第１支持台締結突起を含み、
前記第２支持台締結部材は一対の第２支持台締結突起を含むことを特徴とする、請求項１に記載の折り畳み式箱。
【請求項３】
前記前後面フレーム締結部は、支持台固定突起結合孔および締結部支持突起をさらに備え、
前記第２支持台締結部材は、前記支持台固定突起結合孔に収容結合される支持台固定突起、および前記締結部支持突起を収容結合する締結部支持突起結合孔をさらに備えることを特徴とする、請求項２に記載の折り畳み式箱。
【請求項４】
前記前面支持台及び前記後面支持台は、それぞれ上部の端に設けられた複数の前後面フレームガイド支持部をさらに含み、
前記前面フレーム及び前記後面フレームは、それぞれ前記前後面フレームガイド支持部に回動によって直立収容されて支持されるガイド支持突起をさらに含むことを特徴とする、請求項１に記載の折り畳み式箱。
【請求項５】
前記前後面フレームガイド支持部は、ガイド支持突起収容溝、一対の側方拡大部固定端およびガイド端を含み、
前記ガイド支持突起は、外部に拡張された一対の側方拡大部を含むことを特徴とする、請求項４に記載の折り畳み式箱。
【請求項６】
前記第１上部外郭フレーム部は、
水平長さ方向に沿って内部に２つのフレーム固定部材収容部が対応形成されており、
前記フレーム固定部材収容部に弾性的に収容され、さらに前記左側面フレームおよび右側面フレームと前記前面フレームおよび後面フレームを互いに固定結合するフレーム固定部材をさらに含むことを特徴とする、請求項１に記載の折り畳み式箱。
【請求項７】
前記フレーム固定部材は、
固定バー、前記固定バーの一端に設けられたハンドル部、前記ハンドル部の前端に設けられた弾性部、前記弾性部の前端に設けられたガイド部、前記ガイド部の前端に設けられたストッパー、および前記固定バーの他端に設けられた固定端を含み、
前記第１側面外郭フレーム部は固定端貫通孔をさらに備え、
前記フレーム固定部材収容部は前記フレーム固定部材を収容するフレーム固定部材収容溝、固定バー通過孔が設けられている収容リブ、ハンドル部係止顎およびストッパー係止孔を含み、
前記第２側面外郭フレーム部は前記固定端を収容結合する固定端結合孔をさら備えることを特徴とする、請求項６に記載の折り畳み式箱。
【発明の詳細な説明】
【技術分野】
【０００１】
本発明は、折り畳み式箱に係り、より詳しくは、上部が開放された状態で内部に物品や部品を収容する箱であって、物品や部品を収容しない場合には折り畳んで体積を減らして積層保管または運搬が可能な折り畳み式箱に関する。
【背景技術】
【０００２】
最近、物の流通が盛んになるにつれて、物品の保管または運搬のための包装箱が広く使用されており、それにより回収コストの削減および再使用が可能な包装箱への需要が増加している。折り畳み式箱は、物品の保管または運搬を終えて箱を回収する場合、体積を減らすことにより回収および保管費用を減らすことができるという利点がある。
【０００３】
このような折り畳み式箱に関する従来技術としては、特許文献１の「展開が容易な包装用箱」および特許文献２の「折り畳み式包装箱」が挙げられる。
【０００４】
これらの従来技術は、底板と、前記底板の端縁部に締結される前後面板および側面板から構成された折り畳み式箱を開示している。ところが、箱を回収する場合には、底板、前後面板および側面板を完全分離するか或いは平板状に展開しなければならないので、箱本来の耐久性および重量のある液体類を収容する場合には、包装箱が分離されてしまうことがある。さらに、組立と分離に多くの工程または時間が必要とされる。
【０００５】
かかる問題点を改善して組立および分離の容易性を改善し、前後面板および側面板の堅固性を確保するための従来技術として、特許文献３の「貨物輸送用の折り畳み式包装箱」および特許文献４の「再使用包装箱」が提案されている。
【０００６】
ところが、改善された従来技術も、箱を回収する場合、底板と側面板を互いに分離しなければならないという問題点だけでなく、カバーおよび部材を利用してバンドで締結する不便さが依然として存在するという問題点があった。
【先行技術文献】
【特許文献】
【０００７】
【特許文献１】韓国登録実用新案第２０−０１４８３１９号公報
【特許文献２】韓国登録特許第１０−１２６５７２４号公報
【特許文献３】韓国登録特許第１０−１４２７６９９号公報
【特許文献４】韓国公開特許第１０−２０１３−０１１９３４４号公報
【発明の概要】
【発明が解決しようとする課題】
【０００８】
そこで、本発明は、かかる問題点を解決するためになされたもので、その目的は、箱を回収する場合には、底板と側面板を互いに分離することなく簡単に折り畳んで体積を最小化することができ、物品の運搬および保管が必要な場合には、箱状に容易かつ堅固に再び組み立てることができる、折り畳み式箱を提供することにある。
【０００９】
また、本発明の他の目的は、箱の組み立ての際に、底板と側面板との間に堅固な固定支持構造を備えることにより箱の堅固性を確保して、様々な荷重にも耐えられる頑丈な折り畳み式箱を提供することにある。
【課題を解決するための手段】
【００１０】
上記の技術的課題を解決するための本発明に係る折り畳み式箱は、底板、該底板の左右端部からそれぞれ直立しており、上部の端に複数の側面フレーム締結部が設けられている左側支持台および右側支持台、並びに、前記底板の前面および後面端部からそれぞれ直立しており、上部の端に複数の前後面フレーム締結部が設けられている前面支持台および後面支持台を有する底板フレームと、第１側板、該第１側板の四つの端部にそれぞれ設けられている第１上部外郭フレーム部、下部に向かって突出して前記側面フレーム締結部に回動自在に結合されている複数の第１支持台締結部材を有する第１下部外郭フレーム部、並びに、複数のフレーム締結突起が備えられた第１側面外郭フレーム部をそれぞれ有する左側面フレームおよび右側面フレームと、第２側板、該第２側板の四つの端部にそれぞれ設けられている第２上部外郭フレーム部、下部に向かって突出して前記前後面フレーム締結部に回動自在に結合されている複数の第２支持台締結部材を有する第２下部外郭フレーム部、並びに、前記フレーム締結突起を収容結合する複数のフレーム締結突起結合孔を備えた第２側面外郭フレーム部をそれぞれ有する前面フレームおよび後面フレームと、を含んでなる。
【００１１】
前記側面フレーム締結部はそれぞれ一対の第１締結突起水平係止顎、第１締結突起垂直係止顎および第１締結突起締結溝を備え、前記前後面フレーム締結部はそれぞれ一対の第２締結突起水平係止顎、第２締結突起垂直係止顎および第２締結突起締結溝を備え、前記第１支持台締結部材は一対の第１支持台締結突起を含み、前記第２支持台締結部材は一対の第２支持台締結突起を含むことができる。
【００１２】
前記前後面フレーム締結部は、支持台固定突起結合孔および締結部支持突起をさらに備え、前記第２支持台締結部材は、前記支持台固定突起結合孔に収容結合される支持台固定突起、および前記締結部支持突起を収容結合する締結部支持突起結合孔をさらに備えることができる。
【００１３】
前記前面支持台及び前記後面支持台は、それぞれ上部の端に設けられた複数の前後面フレームガイド支持部をさらに含み、前記前面フレーム及び前記後面フレームは、それぞれ前記前後面フレームガイド支持部に回動によって直立収容されて支持されるガイド支持突起をさらに含むことができる。
【００１４】
前記前後面フレームガイド支持部は、ガイド支持突起収容溝、一対の側方拡大部固定端およびガイド端を含み、前記ガイド支持突起は、外部に拡張された一対の側方拡大部を含むことができる。
【００１５】
前記第１上部外郭フレーム部は、水平長さ方向に沿って内部に２つのフレーム固定部材収容部が対応形成されており、前記フレーム固定部材収容部に弾性的に収容され、さらに前記左側面フレームおよび右側面フレームと前記前面フレームおよび後面フレームを互いに固定結合するフレーム固定部材をさらに含むことができる。
【００１６】
前記フレーム固定部材は、固定バー、前記固定バーの一端に設けられたハンドル部、前記ハンドル部の前端に設けられた弾性部、前記弾性部の前端に設けられたガイド部、前記ガイド部の前端に設けられたストッパー、および前記固定バーの他端に設けられた固定端を含み、前記第１側面外郭フレーム部は固定端貫通孔をさらに備え、前記フレーム固定部材収容部は前記フレーム固定部材を収容するフレーム固定部材収容溝、固定バー通過孔が設けられている収容リブ、ハンドル部係止顎およびストッパー係止孔を含み、前記第２側面外郭フレーム部は前記固定端を収容結合する固定端結合孔をさらに備えることができる。
【発明の効果】
【００１７】
本発明に係る折り畳み式箱によれば、箱の回収時に底板フレームと側面フレームが回動可能であり、分離し難い構造で連結されているので、相互離脱による紛失のおそれがなく、体積を最小化して積層運搬および保管ができるという有利な効果がある。
【００１８】
また、本発明に係る折り畳み式箱によれば、回動可能な構造を持つ支持台締結部材とフレーム締結突起を利用して、前後面フレームと側面フレームを底板フレームに対して容易に折り畳んだり展開したりして固定することができるという有利な効果がある。
【００１９】
また、本発明に係る折り畳み式箱によれば、支持台締結部材に加えて、ガイド支持突起およびフレーム固定部材をさらに備えて底板フレーム、側面フレームおよび前後面フレームを相互複数的に固定結合して支持することにより、物品の保管または運搬のときに加えられる様々な外部衝撃や荷重にも破損または分離されないという有利な効果がある。
【図面の簡単な説明】
【００２０】
【図１】本発明の一実施形態に係る折り畳み式箱の分解斜視図である。
【図２】本発明の一実施形態に係る折り畳み式箱の結合斜視図である。
【図３】本発明の一実施形態に係る折り畳み式箱の一要部である側面フレームの斜視図である。
【図４】本発明の一実施形態に係る折り畳み式箱の一要部である側面フレームの正面図である。
【図５】本発明の一実施形態に係る折り畳み式箱の一要部であるフレーム固定部材の斜視図である。
【図６】本発明の一実施形態に係る折り畳み式箱の一要部である前後面フレームの斜視図である。
【図７】本発明の一実施形態に係る折り畳み式箱の一要部である前後面フレームの正面図である。
【図８】図１の「Ａ」領域である側面フレーム締結部の拡大図である。
【図９】図８の側面フレーム締結部に締結された側面フレームを展開した状態図である。
【図１０】図８の側面フレーム締結部に締結された側面フレームを折り畳んだ状態図である。
【図１１】図１の「Ｂ」領域である前後面フレーム締結部の拡大図である。
【図１２】図１１の前後面フレーム締結部に締結された前後面フレームを展開した状態図である。
【図１３】図１２のＤ−Ｄ’線に沿った断面図である。
【図１４】図１１の前後面フレーム締結部に締結された前後面フレームを折り畳んだ状態図である。
【図１５】図１の「Ｃ」領域である前後面フレームガイド支持部の拡大図である。
【図１６】図１５の前後面フレームガイド支持部にガイドされた後、支持されたガイド支持突起の斜視図である。
【図１７】図１５の前後面フレームガイド支持部にガイドされた後、支持されたガイド支持突起の正面図である。
【図１８】図１７のＥ−Ｅ’線に沿った断面図である。
【図１９】フレーム固定部材の弾性部に弾性力を付加した状態を示す本発明の一実施形態に係る折り畳み式箱の要部斜視図である。
【図２０】フレーム固定部材の弾性部に弾性力を付加した状態を示す本発明の一実施形態に係る折り畳み式箱の要部正面図である。
【図２１】フレーム固定部材の弾性部に与えられた弾性力を除去しながら側面フレームと前後面フレームとを相互結合させた状態を示す本発明の一実施形態に係る折り畳み式箱の要部斜視図である。
【図２２】フレーム固定部材の弾性部に与えられた弾性力を除去しながら側面フレームと前後面フレームとを相互結合させた状態を示す本発明の一実施形態に係る折り畳み式箱の要部正面図である。
【図２３】本発明の一実施形態に係る折り畳み式箱の回収のための体積縮小のために底板フレームの上に右側面フレームを折り畳んだ状態図である。
【図２４】図２３の右側面フレームの上に左側面フレームを折り畳んだ状態図である。
【図２５】図２４の左側面フレームの上に前面フレームを折り畳んだ状態図である。
【図２６】図２５の左側面フレームの上に後面フレームを折り畳んだ状態図である。
【図２７】本発明の一実施形態に係る折り畳み式箱を展開した状態で積層させた状態図である。
【図２８】本発明の一実施形態に係る折り畳み式箱を折り畳んだ状態で積層させた状態図である。
【発明を実施するための形態】
【００２１】
本発明を実施するための具体的な事項は、詳細な説明および図面に含まれている。
【００２２】
本発明の利点、特徴、およびそれらを達成する方法は、添付図面と共に詳細に後述されている実施形態を参照すると明確になるだろう。しかし、本発明は、以下で開示する実施形態に限定されるものではなく、互いに異なる多様な形態で実現される。但し、本実施形態は、単に本発明の開示を完全にし、本発明の属する技術分野における通常の知識を有する者に発明の範囲を完全に知らせるために提供されるものである。そして、本発明は、請求項の範囲によってのみ定められる。
【００２３】
明細書全体にわたり、同一の参照符号は同一の構成要素を指す。本明細書で記述する実施形態は、本発明の図面である斜視図、正面図、拡大図、状態図および断面図を参照して詳細に説明されるであろう。
【００２４】
以下、図１〜図２８を参照して、本発明の一実施形態に係る折り畳み式箱の構成およびその使用方法について説明する。
【００２５】
まず、図１〜図１８を参照して、本発明の一実施形態に係る折り畳み式箱の構成を中心に詳細に説明する。
【００２６】
図１及び図２はそれぞれ本発明の一実施形態に係る折り畳み式箱の分解斜視図及び結合斜視図、図３及び図４はそれぞれ本発明の一実施形態に係る折り畳み式箱の一要部である側面フレームの斜視図および正面図、図５は本発明の一実施形態に係る折り畳み式箱の一要部であるフレーム固定部材の斜視図、図６及び図７はそれぞれ本発明の一実施形態に係る折り畳み式箱の一要部である前後面フレームの斜視図および正面図、図８は図１の「Ａ」領域である側面フレーム締結部の拡大図、図９及び図１０はそれぞれ図８の側面フレーム締結部に締結された側面フレームを展開した状態図および折り畳んだ状態図、図１１は図１の「Ｂ」領域である前後面フレーム締結部の拡大図、図１２は図１１の前後面フレーム締結部に締結された前後面フレームを展開した状態図、図１３は図１２のＤ−Ｄ’線に沿った断面図、図１４は図１１の前後面フレーム締結部に締結された前後面フレームを折り畳んだ状態図、図１５は図１の「Ｃ」領域である前後面フレームガイド支持部の拡大図、図１６及び図１７はそれぞれ図１５の前後面フレームガイド支持部にガイドされた後、支持されたガイド支持突起の斜視図および正面図、図１８は図１７のＥ−Ｅ’線に沿った断面図である。
【００２７】
図１〜図１８に示すように、本発明の一実施形態に係る折り畳み式箱１は、全体的に上部が開放された箱状であって、底板フレーム１００、左側面フレーム２００、右側面フレーム２０１、前面フレーム３００、後面フレーム３０１、およびフレーム固定部材５００を含む。
【００２８】
底板フレーム１００は、底板１１０と、該底板１１０の四つの端部からそれぞれ垂直方向に直立突出した支持台１２０とを含む。
【００２９】
底板１１０は、強度のある合成樹脂素材からなり、デザイン的要素および軽量化のための特定パターンの切開孔１１２が形成されている平板である。底板１１０は、強度補強のために、後述する左右側面フレーム２００、２０１および前後面フレーム３００、３０１の外郭フレーム部２１０、２３０、３１０、３３０、メイン支持フレーム部２５０、３５０、補助支持フレーム部２５５、３５５と同様のフレーム部がさらに備えられてもよい。
【００３０】
支持台１２０も、底板１００と同じ強度のある合成樹脂で射出成形などの方法によって一体に設けられることが、堅固性と箱全体の支持力確保のために望ましい。支持台１２０は、底板１１０の左右側端部から直立した左側支持台１２２および右側支持台１２４、並びに左右側支持台１２２、１２４よりも高い直立高さを持つように前面および後面端部からそれぞれ直立した前面支持台１２５および後面支持台１２６を含む。支持台１２０は、左右側面フレーム２００、２０１および前後面フレーム３００、３０１を底板フレーム１００に密着するように折り畳んだとき、これらを収容することが可能な空間を確保する。すなわち、前後面支持台１２５、１２６が左右側支持台１２２、１２４よりも高い直立高さを持つように設けられ、折り畳まれた左右側面フレーム２００、２０１の上に前後面フレーム３００、３０１が相互干渉なく安定的に覆いながら重ねられる。
【００３１】
一方、本発明の一実施形態とは異なり、左右側支持台１２２、１２４の直立高さを前後面支持台１２５、１２６の直立高さよりも高くして、前後面フレーム３００、３０１を、まず底板フレーム１００上に折り畳んで重ねた後、左右側面フレーム２００、２０１を前後面フレーム３００、３０１の上に折り畳んで重ねることもできる。
【００３２】
左側支持台１２２および右側支持台１２４は、図１及び図８に示すように、各上部の端に複数の側面フレーム締結部１２３が所定の間隔で設けられている。
【００３３】
側面フレーム締結部１２３は、それぞれ左右一対の締結突起水平係止顎１２３ａ、締結突起垂直係止顎１２３ｂおよび締結突起締結溝１２３ｃが設けられている。
【００３４】
締結突起締結溝１２３ｃは、側面フレーム締結部１２３の水平方向および垂直方向に対してそれぞれ所定の鋭角θ１、θ２となるように斜め方向に設けられている。
【００３５】
前面支持台１２５および後面支持台１２６の各上部の端には、複数の前後面フレーム締結部１２７および前後面フレームガイド支持部１２８がそれぞれ所定の間隔で設けられている。
【００３６】
前後面フレーム締結部１２７は、図１１に示すように、それぞれ左右一対の締結突起水平係止顎１２７ａ、締結突起垂直係止顎１２７ｂおよび締結突起締結溝１２７ｃが設けられており、中央部に支持台固定突起結合孔１２７ｄが、中央上部に締結部支持突起１２７ｅがそれぞれ設けられている。
【００３７】
締結突起締結溝１２７ｃも、前後面フレーム締結部１２７の水平方向および垂直方向に対してそれぞれ所定の鋭角となるように斜め方向に設けられている。
【００３８】
前後面フレームガイド支持部１２８は、図１５に示すように、ガイド支持突起収容溝１２８ａ、左右一対の側方拡張部固定端１２８ｂおよびガイド端１２８ｃを含む。
【００３９】
ガイド支持突起収容溝１２８ａは、図１６〜図１８に示すように、折り畳んだ状態から展開した状態に転換する前面フレーム３００および後面フレーム３０１の下部に所定の間隔で突設されたガイド支持突起３８０を、ガイド端１２８ｃを介してスライド収容結合する。収容結合の際に、ガイド支持突起収容溝１２８ａに向かって内側に拡張された側方拡張部固定端１２８ｂが、ガイド支持突起３８０の両側の外部に拡張された側方拡張部３８２と弾性的に接触結合することになる。
【００４０】
左側面フレーム２００と右側面フレーム２０１は、図３及び図４に示すように、側板２６０と、該側板２６０の四つの端部にそれぞれ設けられる上部外郭フレーム部２１０、下部外郭フレーム部２３０および側面外郭フレーム部２４０を含んでいる。また、左側面フレーム２００と右側面フレーム２０１は、内部に強度および支持力補強のための横支持フレーム部２５２と縦支持フレーム部２５４を有するメイン支持フレーム部２５０、および横支持フレーム部２５２と縦支持フレーム部２５４にそれぞれ斜め方向に連結された補助支持フレーム部２５５が設けられることにより、側板２６０をさらに堅固に支持している。
【００４１】
側板２６０は、強度のある合成樹脂素材からなり、デザイン的要素および軽量化のための特定パターンの切開孔２６２が設けられていてもよい。各フレーム部２１０、２３０、２４０、２５０、２５５も、側板２６０と同様の合成樹脂で射出成形などの方式によって一体に設けられることが、製造の利便性および強度などを考慮する場合には望ましい。
【００４２】
上部外郭フレーム部２１０は、水平長さ方向に沿って内部に２つのフレーム固定部材収容部２２０が対応形成されている。
【００４３】
フレーム固定部材収容部２２０は、フレーム固定部材収容溝２２２が設けられており、それぞれ固定バー通過孔２２５が形成されている２つの収容リブ２２４、ハンドル部係止顎２２６およびストッパー係止孔２２８を含んでいる。
【００４４】
下部外郭フレーム部２３０には、下部に向かって所定の間隔を置いて突出した複数の支持台締結部材２７０が設けられている。
【００４５】
支持台締結部材２７０は、下部外郭フレーム部２３０の長さ方向に平行するように両側に突出した一対の支持台締結突起２７２を含んでいる。
【００４６】
支持台締結突起２７２は、側面フレーム締結部１２３の水平方向および垂直方向に対してそれぞれ所定の鋭角θ１、θ２となるように斜め方向に設けられた締結突起締結溝１２３ｃに沿って締まりばめ方式で側面フレーム締結部１２３に所定の角度で回動自在に嵌合される。これにより、支持台締結部材２７０と左側支持台１２２との結合および支持台締結部材２７０と右側支持台１２４との結合が完了する。したがって、側面フレーム２００、２０１が底板フレーム１００に対して所定の角度で回動して、図９及び図１０に示すように展開されたり折り畳まれたりする。すると、左側面フレーム２００および右側面フレーム２０１が底板フレーム１００に対して展開された状態または折り畳まれた状態である場合、締結突起垂直係止顎１２３ｂおよび締結突起水平係止顎１２３ａにそれぞれ係止されて固定支持されるので、支持台締結突起２７２が側面フレーム締結部１２３から離脱することを防止することができる。
【００４７】
側面外郭フレーム部２４０は、上部の一部に側板２６０と平行な方向に固定端貫通孔２４６が設けられており、側板２６０に対して内部垂直方向に複数のフレーム締結突起２４２が所定の間隔で複数設けられている。
【００４８】
前面フレーム３００と後面フレーム３０１は、図６及び図７に示すように、側板３６０と、該側板３６０の四つの端部にそれぞれ設けられる上部外郭フレーム部３１０、下部外郭フレーム部３３０および側面外郭フレーム部３４０を含んでいる。また、前面フレーム３００と後面フレーム３０１は、内部に強度および支持力補強のための横支持フレーム部３５２と縦支持フレーム部３５４を有するメイン支持フレーム部３５０、および横支持フレーム部３５２と縦支持フレーム部３５４にそれぞれ斜め方向に連結された補助支持フレーム部３５５が設けられていることにより、側板３６０をさらに堅く支持している。
【００４９】
側板３６０は、強度のある合成樹脂素材からなり、デザイン的要素および軽量化のための特定パターンの切開孔３６２が設けられている。各フレーム部３１０、３３０、３４０、３５０、３５５も、側板３６０と同様の合成樹脂で射出成形などの方式によって一体に設けられることが望ましい。
【００５０】
上部外郭フレーム部３１０には、折り畳み式箱を運ぶためのハンドル３９０が設けられている。
【００５１】
下部外郭フレーム部３３０には、下部に向かって所定の間隔を置いて突出した複数の支持台締結部材３７０およびガイド支持突起３８０が設けられている。
【００５２】
支持台締結部材３７０は、下部外郭フレーム部３３０の長さ方向に平行するように両側に突出した一対の支持台締結突起３７２、後方に突出した支持台固定突起３７４、および後方から陥没した締結部支持突起結合孔３７６を含んでいる。
【００５３】
支持台締結突起３７２は、前後面フレーム締結部１２７の水平方向および垂直方向に対してそれぞれ所定の鋭角となるように斜め方向に設けられた締結突起締結溝１２７ｃに沿って締まりばめ方式で前後面フレーム締結部１２７に所定の角度で回動自在に嵌合される。これにより、支持台締結部材３７０と前面支持台１２５との結合および支持台締結部材３７０と後面支持台１２６との結合が完了する。したがって、前後面フレーム３００、３０１が底板フレーム１００に対して所定の角度で回動して、図１２〜図１４に示すように展開されたり折り畳まれたりすることができる。すると、前面フレーム３００および後面フレーム３０１が底板フレーム１００に対して展開された状態または折り畳まれた状態である場合、締結突起垂直係止顎１２７ｂおよび締結突起水平係止顎１２７ａにそれぞれ係止されて固定支持されるため、支持台締結突起３７２が前後面フレーム締結部１２７から離脱することを防止することができる。
【００５４】
支持台固定突起３７４は、前面フレーム３００および後面フレーム３０１が底板フレーム１００に対して垂直に直立した展開状態になると、支持台固定突起結合孔１２７ｄに収容結合される。このとき、締結部支持突起結合孔３７６は締結部支持突起１２７ｅを収容結合する。この２つの追加収容結合によって、展開した状態にある前面フレーム３００と後面フレーム３０１はそれぞれ前面支持台１２５および後面支持台１２６に直立した状態でさらに堅く固定される。
【００５５】
側面外郭フレーム部３４０は、側板３６０と平行な方向にフレーム締結突起２４２を収容結合する複数のフレーム締結突起結合孔３４２が所定の間隔で複数設けられており、側板３６０に対して内部垂直方向に固定端結合孔３４５が設けられている。
【００５６】
一方、本実施形態とは異なり、前記フレーム締結突起２４２とフレーム締結突起結合孔３４２は互いに位置を入れ替えてそれぞれ前後面フレーム３００、３０１および左右側面フレーム２００、２０１に備えられることも、本発明の範囲に含まれる。
【００５７】
ガイド支持突起３８０は、両側の外部に拡張された側方拡張部３８２を含む。ガイド支持突起３８０は、図１６〜図１８に示すように、折り畳んだ状態から展開した状態に転換する前面フレーム３００および後面フレーム３０１に沿ってガイド端１２８ｃを介して前後面フレームガイド支持部１２８にスライド収容結合する。収容結合の際に、側方拡張部３８２が、ガイド支持突起収容溝１２８ａに向かって内側に拡張された側方拡張部固定端１２８ｂと弾性的に接触結合することになる。したがって、前後面フレームガイド支持部１２８によって、展開した状態にある前面フレーム３００および後面フレーム３０１はそれぞれ前面支持台１２５および後面支持台１２６に直立した状態でさらに堅く固定支持される。
【００５８】
フレーム固定部材５００は、所定の長さを有する棒状の固定バー５０５、固定バー５０５の一端に設けられたハンドル部５１０、ハンドル部５１０の前端に設けられた一対の弾性部５２０、弾性部５２０の前端に設けられたガイド部５５０、ガイド部５５０の前端に設けられたストッパー５３０、および固定バー５０５の他端に設けられた固定端５４０を含む。
【００５９】
フレーム固定部材５００は、フレーム固定部材収容部２２０に収容結合されている。収容結合方法を考察すると、まず、フレーム固定部材５００をフレーム固定部材収容溝２２２に位置させる。その後、固定端５４０から、２つの収容リブ２２４０にそれぞれ設けられたフレーム固定バー通過孔２２５を順次通過させた後、ストッパー係止孔２２８にストッパー５３０の前端が係止されるまで前進させる。ストッパー５３０の前端がストッパー係止孔２２８に係止されると、固定端５４０は後述の固定端貫通孔２４６を通過して外部に突出し、ガイド部５５０および弾性部５２０はそれぞれ２つの収容リブにそれぞれ設けられたフレーム固定バー通過孔２２５に一部が収容された状態で位置する。このとき、ハンドル部５１０はハンドル部係止顎２２６と所定の離隔間隔を置いて配置される。
【００６０】
弾性部５２０は、固定バー５０５の上下一端から固定端５４０の方向に向かって一対が楕円状に突出している。弾性部５２０は、ハンドル部５１０を引くことにより固定バー５０５が後方に後退してハンドル部５１０がハンドル部係止顎２２６に係止されると、フレーム固定バー通過孔２２５の上下の収容リブ２２４にそれぞれ係止されて垂直方向に収縮しながら、元の形状に膨張しようとする弾性力を保有する。したがって、ハンドル部５１０を放すと、弾性力によって固定端５４０の方向にストッパー５３０がストッパー係止孔２２８に係止されて止まるまで、固定バー５０５が元の位置に復帰する。一方、本実施形態とは異なり、弾性部５２０は、固定バー５０５の上下一端から固定端５４０の方向に対して所定の鋭角で延びた直線バーの形態、または楕円形の代わりに円形の形態で延長突出するように構成されてもよい。
【００６１】
ガイド部５５０は、固定バー５０５の前後進の際に固定バー通過孔２２５に沿って移動しながら固定バー５０５の全体移動をガイドする。
【００６２】
固定端５４０は、固定バー５０５の後進によって固定端貫通孔２４６内へと収縮してから、固定バー５０５の前進によって固定端貫通孔２４６から突出しながら固定端結合孔３４５に結合される。これにより、側面フレーム２００、２０１と前後面フレーム３００、３０１間の展開状態における相互固定支持力をさらに増大させる。
【００６３】
固定端５４０は、固定端結合孔３４５に容易に結合されるため、固定バー５０５の長さ方向に対して直角方向ではなく斜め方向に縦断面を有することが好ましい。
【００６４】
以下、本発明の一実施形態に係る折り畳み式箱１の使用方法を図１９〜図２８を参照して詳細に説明する。
【００６５】
図１９及び図２０はそれぞれフレーム固定部材の弾性部に弾性力を付加した状態を示す本発明の一実施形態に係る折り畳み式箱の要部斜視図および要部正面図、図２１及び図２２はそれぞれフレーム固定部材の弾性部に付与された弾性力を除去しながら側面フレームと前後面フレームとを相互結合させた状態を示す本発明の一実施形態に係る折り畳み式箱の要部斜視図および要部正面図、図２３は本発明の一実施形態に係る折り畳み式箱の回収のための体積縮小のために底板フレームの上に右側面フレームを折り畳んだ状態図、図２４は図２３の右側面フレームの上に左側面フレームを折り畳んだ状態図、図２５は図２４の左側面フレームの上に前面フレームを折り畳んだ状態図、図２６は図２５の左側面フレームの上に後面フレームを折り畳んだ状態図、図２７は本発明の一実施形態に係る折り畳み式箱を展開した状態で積層させた状態図、図２８は本発明の一実施形態に係る折り畳み式箱を折り畳んだ状態で積層させた状態図である。
【００６６】
図２６に示すように折り畳まれた本発明の一実施形態に係る折り畳み式箱１を物品の保管または運搬のために展開するためには、まず、図１２に示すように前後面支持台１２５、１２６から支持台締結部材３７０を回動ささせて前後面フレーム３００、３０１を直立させる。その後、図１９及び図２０に示すように折り畳まれた状態の側面フレーム２００、２０１を、図９に示すように支持台締結部材２７０を回動させて左側支持台１２２および右側支持台１２４から側面フレーム２００、２０１を徐々に直立させる。このとき、親指および人差し指を用いて、破線直線矢印の方向のように、対向する両ハンドル部５１０が接近するように互いに引っ張ると、固定端５４０が固定端貫通孔２４６内へと収縮する。その後、側面フレーム２００、２０１の直立が完成すると、フレーム締結突起２４２がフレーム締結突起結合孔３４２に収容されながら、側面フレーム２００、２０１と前後面フレーム３００、３０１間の展開状態における１次固定結合力が生じる。その後、図２１及び図２２に示すようにハンドル部５１０に加えられた力を除去すると、弾性部５２０の弾性力によってフレーム固定部材５００が実線直線矢印の方向に前進しながら固定端５４０が固定端結合孔３４５に収容結合されることにより、側面フレーム２００、２０１と前後面フレーム３００、３０１間の展開状態における追加的な２次固定結合力が生じる。
【００６７】
展開された折り畳み式箱を折り畳んで体積を減らすためには、両ハンドル部５１０が接近するように互いに引っ張ると、固定端５４０が固定端貫通孔２４６内へと収縮するので、回動によって側面フレーム２００、２０１を図２３および図２４のようにそれぞれ底板フレーム１００上に順次折り畳んだ後、さらに図２５および図２６のように回動によって、折り畳まれた側面フレーム２００、２０１の上に前後面フレーム３００、３０１を折り畳めばよい。
【００６８】
一方、図２７及び図２８に示すように、本発明の一実施形態に係る折り畳み式箱がそれぞれ展開された状態および折り畳まれた状態でそれぞれ積層保管が可能なので、狭い空間でも保管および運搬の利便性が確保できる。
【００６９】
本発明の一実施形態に係る折り畳み式箱１では、前後面フレームガイド支持部１２８およびフレーム固定部材５００を備えたが、フレーム締結突起２４２とフレーム締結突起結合孔３４２間の固定結合力が所定以上である一定の条件では、必要に応じて省略し、実施することが可能である。
【００７０】
以上、本発明の好適な実施形態について詳細に説明したが、本発明の権利範囲はこれに限定されるものではなく、次の請求の範囲で定義している本発明の基本的な概念を利用した当業者の様々な変形及び改良形態も本発明の権利範囲に属するのである。
【産業上の利用可能性】
【００７１】
本発明に係る折り畳み式箱は、運搬または保管が要求される様々な物品や部品を容易かつ安全に運搬および保管することができるだけでなく、運搬および保管が完了した場合、折り畳んで体積を縮小させて運搬および保管が可能であるため、様々な物品または部品積載産業分野に広く適用して有用に利用可能である。
【符号の説明】
【００７２】
１００    底板フレーム
１１０    底板
１１２、２６２、３６２    切開孔
１２０    支持台
１２２    左側支持台
１２３    側面フレーム締結部
１２３ａ、１２７ａ    締結突起水平係止顎
１２３ｂ、１２７ｂ    締結突起垂直係止顎
１２３ｃ、１２７ｃ    締結突起締結溝
１２４    右側支持台
１２５    前面支持台
１２６    後面支持台
１２７    前後面フレーム締結部
１２７ｄ    支持台固定突起結合孔
１２７ｅ    締結部支持突起
１２８    前後面フレームガイド支持部
１２８ａ    ガイド支持突起収容溝
１２８ｂ    側方拡張部固定端
１２８ｃ    ガイド端
２００    左側面フレーム
２０１    右側面フレーム
２１０、３１０    上部外郭フレーム部
２２０    フレーム固定部材収容部
２２２    フレーム固定部材収容溝
２２４    収容リブ
２２５    固定バー通過孔
２２６    ハンドル部係止顎
２２８    ストッパー係止孔
２３０、３３０    下部外郭フレーム部
２４０、３４０    側面外郭フレーム部
２４２    フレーム締結突起
２４６    固定端貫通孔
２５０、３５０    メイン支持フレーム部
２５２、３５２    横支持フレーム部
２５４、３５４    縦支持フレーム部
２５５、３５５    補助支持フレーム部
２６０、３６０    側板
２７０、３７０    支持台締結部材
２７２、３７２    支持台締結突起
３００    前面フレーム
３０１    後面フレーム
３４２    フレーム締結突起結合孔
３４５    固定端結合孔
３７４    支持台固定突起
３７６    締結部支持突起結合孔
３８０    ガイド支持突起
３８２    側方拡張部
３９０    ハンドル
５００    フレーム固定部材
５０５    固定バー
５１０    ハンドル部
５２０    弾性部
５３０    ストッパー
５５０    ガイド部
５４０    固定端
【図１】
2017095177.tif 000003
【図２】
2017095177.tif 000004
【図３】
2017095177.tif 000005
【図４】
2017095177.tif 000006
【図５】
2017095177.tif 000007
【図６】
2017095177.tif 000008
【図７】
2017095177.tif 000009
【図８】
2017095177.tif 000010
【図９】
2017095177.tif 000011
【図１０】
2017095177.tif 000012
【図１１】
2017095177.tif 000013
【図１２】
2017095177.tif 000014
【図１３】
2017095177.tif 000015
【図１４】
2017095177.tif 000016
【図１５】
2017095177.tif 000017
【図１６】
2017095177.tif 000018
【図１７】
2017095177.tif 000019
【図１８】
2017095177.tif 000020
【図１９】
2017095177.tif 000021
【図２０】
2017095177.tif 000022
【図２１】
2017095177.tif 000023
【図２２】
2017095177.tif 000024
【図２３】
2017095177.tif 000025
【図２４】
2017095177.tif 000026
【図２５】
2017095177.tif 000027
【図２６】
2017095177.tif 000028
【図２７】
2017095177.tif 000029
【図２８】
2017095177.tif 000030